(57)【特許請求の範囲】
【請求項１】
互いの間にコードが配線される２つの被結合部材の間に介在してこれらの被結合部材相互の角度を任意に可動固定させるものであって、
一方の被結合部材に配設される略円筒状の中央ヒンジ主体と、他方の被結合部材に配設されて該中央ヒンジ主体の略円筒外面と摺動し且つその両端を挟み込む右ヒンジ主体及び左ヒンジ主体とを有して、これらのヒンジ主体の中心が回動自在にねじ結合されてなる電気器具の自在ヒンジにおいて、
前記中央ヒンジ主体に前記コードを導入させるコード導入部を開口形成し、同コード導入部を覆うとともに該コードを導入ガイドさせるコードガイドを中央ヒンジ主体に回動自在に配設したことを特徴とする電気器具の自在ヒンジ。
【請求項２】
前記コードガイドを、前記中央ヒンジ主体の略円筒状の内側に配設したことを特徴とする請求項１記載の電気器具の自在ヒンジ。
【請求項３】
前記コードガイドは、前記コードを導入ガイドさせるコード開口を前記コード導入部の回動方向の一端側に有することを特徴とする請求項２記載の電気器具の自在ヒンジ。
【請求項４】
前記コードガイドと、前記中央ヒンジ主体と右ヒンジ主体及び左ヒンジ主体との相互にばね付勢し回動させるねじりコイルばねとをそれらの軸方向に積層し配設させたことを特徴とする請求項２又は３記載の電気器具の自在ヒンジ。
【請求項５】
前記中央ヒンジ主体に、前記ねじりコイルばねへの挿通部となる凸状の支持軸を設けたことを特徴とする請求項４記載の電気器具の自在ヒンジ。
【請求項６】
前記コードを、前記コード開口よりコードガイドから離れる側に巻回して右ヒンジ主体及び左ヒンジ主体側へ向け配設したことを特徴とする請求項３乃至５のいずれか一つの請求項に記載の電気器具の自在ヒンジ。
【請求項７】
前記コード開口を切欠としたことを特徴とする請求項３乃至６のいずれか一つの請求項に記載の電気器具の自在ヒンジ。
【請求項８】
請求項１乃至７のいずれか一つの請求項に記載の電気器具の自在ヒンジを、その可動アームの一部としたことを特徴とする電気スタンド。
【発明の詳細な説明】
【０００１】
【発明の属する技術分野】
本発明は、電気器具の自在ヒンジ及び電気スタンドに関するものである。
【０００２】
【従来の技術】
従来から、図２に示す如く、例えば電気スタンドとして、灯具部１２と本体部１３とを連結するアーム部を可動アームとし、可動アーム１１と灯具部１２、可動アーム１１と本体部１３をそれぞれ自在ヒンジ機構を用いて連結し、その自在ヒンジ１００の内部にコードを貫通させたものがある。上記の自在ヒンジ１００は、互いの間にコードが配線される２つの被結合部材（可動アーム１１と灯具部１２、可動アーム１１と本体部１３）の間に介在してこれらの被結合部材相互の角度を任意に可動固定するものである。そして、図５に示すように、一方の被結合部材となる、例えば可動アーム１１に配設される略円筒状の中央ヒンジ主体１０２と、他方の被結合部材となる、例えば灯具部１２に配設されて該中央ヒンジ主体１０２の略円筒外面と摺動し且つその両端を挟み込む右ヒンジ主体１０６及び左ヒンジ主体１０７とを有しており、これらのヒンジ主体の中心が、締め付け手段１０９の締め付けねじ及び締め付けナットを用いて回動自在にねじ結合されている。
【０００３】
この場合、中央ヒンジ主体１０２は、略円筒状で、その外側面に被結合部材相互間に配線されるコード（図示せず）を導入させるコード導入部が開口形成されている。また、中央ヒンジ主体１０２は、円筒の一端を開口させてあり、中央ヒンジ主体１０２と右ヒンジ主体１０６、左ヒンジ主体１０７との相互にばね付勢し回動させるねじりコイルばね１０４、上記コード導入部を覆うカバー体１０３が装着され、上記コードがこのねじりコイルばね１０４を巻回すようカバー体１０３との間に配設されている。そして、上記右ヒンジ主体１０６及び左ヒンジ主体１０７を一体に有するヒンジ本体１０５には、側面視略コ字状の締め付け金具１０８が装着され、右ヒンジ主体１０６、左ヒンジ主体１０７間にこの締め付け金具の押さえ片を介在させて、上記締め付けねじを用いて安定して可動固定させている。
【０００４】
したがって、上記構成による電気器具の自在ヒンジは、図６（ａ）〜（ｄ）に示すように、中央ヒンジ主体１０２とその両端を挟み込む右ヒンジ主体１０６及び左ヒンジ主体１０７をもったヒンジ本体１０５とを回動させて被結合部材相互の角度を任意に変化させ、締め付けねじを締め付けナットに締め付けて固定することができる。
【０００５】
【発明が解決しようとする課題】
しかしながら、上記従来の技術においては、コードＣ（図６参照）は上記のカバー体１０３に設けられた貫通孔１０３ａに挿通されて、２つの被結合部材間に配線されている。また、そのカバー体１０３は、中央ヒンジ主体１０２に固定されて構成されている。そのため、図６（ｄ）に示す如く、被結合部材相互の角度を大きく変化させたときに、コードＣのコイルばねに沿って巻回された部分が巻き戻されてヒンジ本体１０５内部にて屈曲される（Ｃ１）。したがって、ＯＡ機器用とした電気スタンドにて、例えば不特定多数の使用者が各自に合った照明環境を設定するため、自在ヒンジを回動させる機会の多い使用条件では、コード屈曲が頻繁に行われるため、その屈曲部でのコード断線の発生が懸念された。
【０００６】
ところで、上記構成のカバー体１０３においては、同図（ａ）に示す如く被結合部材相互の角度の所定の条件状態で、上記貫通孔１０３ａからカバー体１０３内側に至るコード部分が一部露出する。したがって、その露出部分が不用意に傷つけられる恐れもあり、使用者が誤って感電することも想定された。
【０００７】
本発明は、上記事由に鑑みてなしたもので、その目的とするところは、被結合部材相互の角度を頻繁に変化させても内部に配線されたコードの断線が無く、またその部分でコードの露出することの無い電気器具の自在ヒンジ及び電気スタンドを提供することにある。
【０００８】
【課題を解決するための手段】
上記目的を達成するために、本発明の電気器具の自在ヒンジにあっては、互いの間にコードが配線される２つの被結合部材の間に介在してこれらの被結合部材相互の角度を任意に可動固定させるものであって、一方の被結合部材に配設される略円筒状の中央ヒンジ主体と、他方の被結合部材に配設されて該中央ヒンジ主体の略円筒外面と摺動し且つその両端を挟み込む右ヒンジ主体及び左ヒンジ主体とを有して、これらのヒンジ主体の中心が回動自在にねじ結合されてなる電気器具の自在ヒンジにおいて、前記中央ヒンジ主体に前記コードを導入させるコード導入部を開口形成し、同コード導入部を覆うとともに該コードを導入ガイドさせるコードガイドを中央ヒンジ主体に回動自在に配設したことを特徴としている。
【０００９】
この構成にて、互いの間にコードが配線される２つの被結合部材のうちの一方の被結合部材に配設される、該コードを導入させるコード導入部の開口形成された略円筒状の中央ヒンジ主体と、その中央ヒンジ主体の略円筒外面と摺動し且つその両端を挟み込むように他方の被結合部材に配設される右ヒンジ主体及び左ヒンジ主体とが、前記中央ヒンジ主体に、前記コード導入部を覆うとともに配線されたコードを導入ガイドさせるコードガイドを回動自在となるよう配設されてねじ結合され、前記被結合部材相互の角度を任意に変化させ固定される。
【００１０】
そして、上記コードガイドを、前記中央ヒンジ主体の略円筒状の内側に配設することが好ましい。この場合、２つの被結合部材間に配線されるコードが、略円筒状の内側に配設されたコードガイドの内側にて屈曲される。
【００１１】
また、上記コードガイドは、前記コードを導入ガイドさせるコード開口を前記コード導入部の回動方向の一端側に有するのが好ましい。この場合、中央ヒンジ主体のコード導入部を覆うコードガイドを、該コード導入部の回動方向の一端側から他端側へ回動して略覆うよう形成できる。
【００１２】
また、上記コードガイドと、前記中央ヒンジ主体と右ヒンジ主体及び左ヒンジ主体との相互にばね付勢し回動させるねじりコイルばねとをそれらの軸方向に積層し配設させるのが好ましい。この場合、コード導入部を覆って且つコードを導入ガイドさせるコードガイドと、ヒンジ主体相互をばね付勢させるねじりコイルばねとが積層されて回動される。
【００１３】
また、上記中央ヒンジ主体に、前記ねじりコイルばねへの挿通部となる凸状の支持軸を設けるのが好ましい。この場合、コード導入部を覆いコードを導入ガイドさせるコードガイドが、中央ヒンジ主体に設けられてねじりコイルばねの挿通された凸状の支持軸にて、支持され回動される。
【００１４】
また、上記コードを、前記コード開口よりコードガイドから離れる側に巻回して右ヒンジ主体及び左ヒンジ主体側へ向け配設するのが好ましい。この場合、コードが、中央ヒンジ主体のコード導入部の一端側から他端側へ回動して略覆うコードガイドのコード開口より、その回動と反対方向の、コードガイドから離れる側に巻回されて、右ヒンジ主体及び左ヒンジ主体側へ向け配設される。
【００１５】
また、上記コード開口を切欠とするのが好ましい。この場合、中央ヒンジ主体のコード導入部を、その回動方向の一端側から他端側へ回動して略覆うよう形成されたコードガイドに、コードを切欠状に形成されたコード開口から装着できる。
【００１６】
また、本発明の電気スタンドにあっては、上記いずれか一つに記載の電気器具の自在ヒンジを、その可動アームの一部としたことを特徴としている。
【００１７】
この構成にて、電気スタンドの可動アームに配線されるコードが、中央ヒンジ主体のコード導入部を覆うとともに該コードを導入ガイドさせるコードガイドを回動自在となるよう可動アームに配設されて、可動アームと例えば灯具部等の相互の角度を任意に変化させ固定される。
【００１８】
【発明の実施の形態】
図１乃至図４は、本発明の請求項１乃至８全てに対応する一実施の形態を示し、図１は、本発明の一実施の形態の電気器具の自在ヒンジの概略構成を示す分解斜視図である。図２は、同電気器具の自在ヒンジを装着した、本発明の一実施の形態の電気スタンドを示す斜視図である。図３は、同電気器具の自在ヒンジの説明図である。図４は、同電気器具の自在ヒンジの動きを示す説明図である。
【００１９】
この実施の形態の電気器具の自在ヒンジは、互いの間にコード１０が配線される２つの被結合部材の間に介在してこれらの被結合部材相互の角度を任意に可動固定させるものであって、一方の被結合部材１１に配設される略円筒状の中央ヒンジ主体２と、他方の被結合部材１２に配設されて該中央ヒンジ主体２の略円筒外面と摺動し且つその両端を挟み込む右ヒンジ主体６及び左ヒンジ主体７とを有して、これらのヒンジ主体２，６，７の中心が回動自在にねじ結合されてなる電気器具の自在ヒンジ１において、前記中央ヒンジ主体２に前記コード１０を導入させるコード導入部２３を開口形成し、同コード導入部２３を覆うとともに該コード１０を導入ガイドさせるコードガイド３を中央ヒンジ主体２に回動自在に配設してなる。また、該実施の形態の電気器具の自在ヒンジ１においては、コードガイド３を、前記中央ヒンジ主体２の略円筒状の内側に配設してもいる。
【００２０】
また、この電気器具の自在ヒンジ１を装着した、本発明の一実施の形態の電気スタンドＡにおいては、上記記載の電気器具の自在ヒンジ１を、その可動アーム１１の一部としている。
【００２１】
詳しくは、この実施の形態の電気器具の自在ヒンジ１は、例えば、図２に示すような電気スタンドＡの可動アーム１１の一部として使用し、その電気スタンドＡを構成している灯具部１２を、点灯装置等の内装されている本体部１３から、任意の位置に移動させて使用するのに最適に利用できる。なお、この自在ヒンジ１は、上記のような電気スタンド以外に、例えば、大口径のレンズ体の周囲に丸形蛍光灯を装着し、該レンズ体にて作業対象物を拡大させ組立作業等を行うことのできる照明付拡大装置や、その先端に電気接続器を備えたもので、所望の位置に移動させ電源を接続させることのできる、移動自在型の電源接続装置等の電気器具に利用することも好ましい。
【００２２】
この自在ヒンジ１は、一方の被結合部材に相当する上記の可動アーム１１の先端部に装着される中央ヒンジ主体２と、他方の被結合部材に相当する上記の灯具部１２に配設される右ヒンジ主体６及び左ヒンジ主体７を備えたヒンジ本体５とを有している。そして、中央ヒンジ主体２にはコードガイド３と、中央ヒンジ主体２と上記ヒンジ本体５との相互にばね付勢し回動させるねじりコイルばね４とが設けられ、また、ヒンジ本体５には締め付け金具８が装着されて、これら中央ヒンジ主体２、ヒンジ本体５の右ヒンジ主体６及び左ヒンジ主体７の中心が、締め付け手段９となる、締め付けねじ９１及び締め付けナット９３を用いて回動自在にねじ結合され形成されている。
【００２３】
中央ヒンジ主体２は、一端面開口の略円筒状の回動部２１と、この回動部２１の円筒側面の一方に突設されて例えば円筒体である可動アーム１１を内挿させ装着するアーム装着部２２とを有して合成樹脂材料にて形成されている。回動部２１は、該アーム装着部２２を介して可動アーム１１に連通する連通開口２７が設けられ、この連通開口２７の略対向位置には、円筒外面の一部を所定角度だけ切り欠いて形成されたコード導入部２３が設けられている。この回動部２１の他端内面には、締め付けねじ９１のねじ部９２の挿通される軸穴２６が穿設され、この軸穴２６と同心状に、後述するねじりコイルばね４への挿通部となる、段差部２４ａをもった凸状の支持軸２４と、その内側が該ねじりコイルばね４の収納部となって後述するコードガイド３を積層させる環状の支持突起２５とが形成されている。
【００２４】
コードガイド３は、中央ヒンジ主体２のコード導入部２３を覆うもので、合成樹脂材料にて形成され、この場合、中央ヒンジ主体２の内側に配設されている。このコードガイド３は、中央ヒンジ主体２に対して回動自在となるよう上記支持軸２４に挿通させる回動軸穴３１をその中心とした、後述するコード１０を導入ガイドさせる半円弧状のガイド片３２が、該回動軸穴３１の面から突設されている。このガイド片３２の半円弧状の一端には、コード開口３３がこの場合切欠として形成されている。このコードガイド３は、回動軸穴３１を支持軸２４に挿通させてコード開口３３からコード１０が装着され、上記の支持軸２４に設けられた段差部２４ａ及び支持突起２５に支持されて、コード開口３３がコード導入部２３の回動方向の一端側から他端側へ回動して略覆うよう中央ヒンジ主体２の内部を回動する。
【００２５】
ねじりコイルばね４は、中央ヒンジ主体２の上記支持突起２５の内側に内装されて、該中央ヒンジ主体２と後述するヒンジ本体５との相互にばね付勢し回動させるもので、例えばステンレス材等のばね線材にて形成されている。このねじりコイルばね４は、図示していないその一端が中央ヒンジ主体２に固着され、ヒンジ本体５の一部に突出させた他端４ａが当接するように内装される。
【００２６】
ヒンジ本体５は、円状開口である右ヒンジ主体６及び左ヒンジ主体７をその両端とする、上記回動部２１を収納する両端開口の円筒状の側面の一方に、灯具部１２を連結し装着させる円筒状の連結部５１が突設されて、合成樹脂材料にて形成されている。このヒンジ本体５の内部は、後述する側面視略コ字状の締め付け金具８が装着される空間となっている。したがってヒンジ本体５には、右ヒンジ主体６の開口から、その合成樹脂製の頭部から突設されている締め付けねじ９１のねじ部９２が挿通されて、締め付け金具８、中央ヒンジ主体２を介して、左ヒンジ主体７の開口に設けられる、その合成樹脂製の締め付け部にインサートされている締め付けナット９３のナット９４に螺合させ、これらのヒンジ主体の中心を回動自在にねじ結合することができる。
【００２７】
締め付け金具８は、この場合、上記ヒンジ本体５の連結部５１に内装される略円盤状の連結片８１の両側から、上記ねじ部９２の挿通される軸穴８３がその中心に穿設された略円盤状の押さえ片８２，８２が対向するように設けられて、金属板にて形成されている。押さえ片８２，８２の設けられた位置と交差する対向位置には、この締め付け金具８を連結部５１内部にて位置決めするための位置決め片８４がそれぞれ設けられている。
【００２８】
上記の電気器具の自在ヒンジを組み立てる場合、まず、中央ヒンジ主体２にねじりコイルばね４を内装させ、次いでコードガイド３を軸方向に積層し配設させた後、このコード開口３３を中央ヒンジ主体２のコード導入部２３に位置させて可動アーム１１側から引き込んだコード１０をコード開口３３に挿通させ、コードガイド３のコード開口３３より、それの回動と反対方向の、コードガイド３から離れる側に巻回した後、可動アーム１１一端にアーム装着部２２に内挿しねじ固定させる。このとき、コード開口３３が切欠状であるので、コード１０を切欠状に形成されたコード開口３３から装着させて組立を行うことができて組立性が良く、また、コード１０が、中央ヒンジ主体２のコード導入部２３に設けられるコードガイド３から離れる側に巻回され、大きく屈曲することなくヒンジ本体５へ向け配設される。
【００２９】
その後、ヒンジ本体５の内部に締め付け金具８を内装させ、その連結片８１の中央、ヒンジ本体５の連結部５１に設けられている小開口にコード１０を挿通させて、締め付けねじ９１のねじ部９２を、右ヒンジ主体６、締め付け金具８の押さえ片８２，８２の軸穴８３、左ヒンジ主体７に挿通させて締め付けナット９３のナット９４に螺合して回動自在にねじ結合する。
【００３０】
このように、可動アーム１１側の中央ヒンジ主体２と、その中央ヒンジ主体２の略円筒外面と摺動し且つ、その両端を挟み込むように灯具部１２に配設される、右ヒンジ主体６及び左ヒンジ主体７をもったヒンジ本体５とが、中央ヒンジ主体２に、そのコード導入部２３を覆うとともに配線されたコード１０を導入ガイドさせるコードガイド３を回動自在となるよう配設されてねじ結合され、コードガイド３とねじりコイルばね４とが積層されてより小型に構成され組立てられた自在ヒンジ１は、可動アーム１１、灯具部１２相互の角度を、図４（ａ）〜（ｄ）に示すよう任意に変化させ固定させることができるのである。
【００３１】
このとき、同図（ｄ）に示すように、可動アーム１１、灯具部１２相互間に配線されるコード１０は、コードガイド３の内側にて巻き戻されること無く比較的小さい曲率をもって屈曲され、また、中央ヒンジ主体２のコード導入部２３を覆うよう小さく形成されたコードガイド３にて、コード導入部２３の回動方向の一端側から他端側へ回動して略覆うことができるものとなり、また、コードガイド３が、中央ヒンジ主体２にねじりコイルばね４を挿通させた凸状の支持軸２４にて安定支持されて円滑に回動されるものとなる。
【００３２】
したがって、以上説明した電気器具の自在ヒンジ１及び電気スタンドＡによると、互いの間にコード１０が配線される２つの被結合部材のうちの一方の被結合部材に配設される、該コード１０を導入させるコード導入部２３の開口形成された略円筒状の中央ヒンジ主体２と、その中央ヒンジ主体２の略円筒外面と摺動し且つその両端を挟み込むように他方の被結合部材に配設される右ヒンジ主体６及び左ヒンジ主体７とが、前記中央ヒンジ主体２に、前記コード導入部２３を覆うとともに配線されたコード１０を導入ガイドさせるコードガイド３を回動自在となるよう配設されてねじ結合され、前記被結合部材相互の角度を任意に変化させ固定されるので、被結合部材相互の角度を頻繁に変化させても内部に配線されたコード１０の断線を防止でき、またその部分でコード１０の露出することが無い。
【００３３】
そして、２つの被結合部材間に配線されるコード１０が、略円筒状の内側に配設されたコードガイドの内側にて屈曲されるので、より小さい曲率にて小さく屈曲でき、以て、コードガイド３の内側にて巻き戻されることが無い。また、中央ヒンジ主体２のコード導入部２３を覆うコードガイド３を、該コード導入部２３の回動方向の一端側から他端側へ回動して略覆うよう形成できるので、コードガイド３をより小さく形成できる。
【００３４】
また、コード導入部２３を覆って且つコード１０を導入ガイドさせるコードガイド３と、ヒンジ主体２相互をばね付勢させるねじりコイルばね４とが積層されて回動されるので、より小型に自在ヒンジ１を形成することができ、しかも、コード導入部２３を覆いコード１０を導入ガイドさせるコードガイド３が、中央ヒンジ主体２に設けられてねじりコイルばね４の挿通された凸状の支持軸２４にて、支持され回動されるので、コードガイド３に引っかかり等が無くて円滑に回動できる。
【００３５】
また、コード１０が、中央ヒンジ主体２のコード導入部２３の一端側から他端側へ回動して略覆うコードガイド３のコード開口３３より、その回動と反対方向の、コードガイド３から離れる側に巻回されて、右ヒンジ主体６及び左ヒンジ主体７側へ向け配設されるので、大きくコード１０を屈曲させて安定状態に収容させることができ、しかも、中央ヒンジ主体２のコード導入部２３を、その回動方向の一端側から他端側へ回動して略覆うよう形成されたコードガイド３に、コード１０を切欠状に形成されたコード開口３３から装着できるので、組立性に優れる。
【００３６】
【発明の効果】
本発明は、上述の実施態様の如く実施されて、請求項１記載の電気器具の自在ヒンジ及び、請求項８記載の電気スタンドにあっては、被結合部材相互の角度を頻繁に変化させても内部に配線されたコードの断線を防止でき、またその部分でコードの露出することが無い。
【００３７】
また、請求項２記載の気器具の自在ヒンジにあっては、２つの被結合部材間に配線されるコードが、略円筒状の内側に配設されたコードガイドの内側にて屈曲されるので、より小さい曲率にて小さく屈曲でき、以て、コードガイドの内側にて巻き戻されることが無い。
【００３８】
また、請求項３記載の気器具の自在ヒンジにあっては、中央ヒンジ主体のコード導入部を覆うコードガイドを、該コード導入部の回動方向の一端側から他端側へ回動して略覆うよう形成できるので、コードガイドをより小さく形成できる。
【００３９】
また、請求項４記載の気器具の自在ヒンジにあっては、コード導入部を覆いコードを導入ガイドさせるコードガイドが、中央ヒンジ主体に設けられてねじりコイルばねの挿通された凸状の支持軸にて、支持され回動されるので、より小型に自在ヒンジを形成することができる。
【００４０】
また、請求項５記載の気器具の自在ヒンジにあっては、コード導入部を覆いコードを導入ガイドさせるコードガイドが、中央ヒンジ主体に設けられてねじりコイルばねの挿通された凸状の支持軸にて、支持され回動されるので、コードガイドに引っかかり等が無くて円滑に回動できる。
【００４１】
また、請求項６記載の気器具の自在ヒンジにあっては、コードが、中央ヒンジ主体のコード導入部の一端側から他端側へ回動して略覆うコードガイドのコード開口より、その回動と反対方向の、コードガイドから離れる側に巻回されて、右ヒンジ主体及び左ヒンジ主体側へ向け配設されるので、大きくコードを屈曲させて安定状態に収容させることができる。
【００４２】
また、請求項７記載の気器具の自在ヒンジにあっては、中央ヒンジ主体のコード導入部を、その回動方向の一端側から他端側へ回動して略覆うよう形成されたコードガイドに、コードを切欠状に形成されたコード開口から装着できるので、組立性に優れる。
【００４３】
【図面の簡単な説明】
【図１】本発明の一実施の形態の電気器具の自在ヒンジの概略構成を示す分解斜視図である。
【図２】同電気器具の自在ヒンジを装着した、本発明の一実施の形態の電気スタンドを示す斜視図である。
【図３】同電気器具の自在ヒンジの説明図である。
【図４】同電気器具の自在ヒンジの動きを示す説明図である。
【図５】本発明の従来例である電気器具の自在ヒンジの概略構成を示す分解斜視図である。
【図６】同電気器具の自在ヒンジの動きを示す説明図である。
【符号の説明】
１    自在ヒンジ
２    中央ヒンジ主体
２３  コード導入部
３    コードガイド
６    右ヒンジ主体
７    左ヒンジ主体
１０  コード
１１  可動アーム（一方の被結合部材）
１２  灯具部（他方の被結合部材）
【図１】
0004296677.tif 000002
【図２】
0004296677.tif 000003
【図３】
0004296677.tif 000004
【図４】
0004296677.tif 000005
【図５】
0004296677.tif 000006
【図６】
0004296677.tif 000007